(57)【特許請求の範囲】
【請求項１】
加熱装置により加熱されて回転する加熱ローラーと、この加熱ローラーと接触して回転駆動される無端状の加圧ベルトと、この加圧ベルトの内周側に設けられて加圧ベルトを加熱ローラーに押圧させる押圧部材とを有し、トナー画像が形成された記録媒体を、加熱ローラーに加圧ベルトが押圧されるニップ領域を通過させて、トナー画像を記録媒体上に定着させる定着装置において、前記の押圧部材として、少なくとも、ニップ領域の中央部において加圧ベルトを加熱ローラーに押圧させる第１押圧部材と、この第１押圧部材よりもニップ領域の上流側において加圧ベルトを加熱ローラーに押圧させる第２押圧部材とを設けると共に、第２押圧部材を前記の加熱ローラーの方向に移動可能に設け、この第２押圧部材を移動させて加圧ベルトを加熱ローラーに押圧させる押圧力を調整する押圧力調整手段を設け、前記の第２押圧部材を第１押圧部材よりも高硬度の材料で構成し、前記の記録媒体が封筒又は厚い用紙の場合に、前記の押圧力調整手段により第２押圧部材を移動させて、第２押圧部材によって加圧ベルトを加熱ローラーに押圧させる押圧力を、前記の第１押圧部材よりも強くすることを特徴とする定着装置。
【請求項２】
請求項１に記載の定着装置において、記録媒体の種類に対応させて、前記の押圧力調整手段により第２押圧部材を移動させて加圧ベルトを加熱ローラーに押圧させる押圧力を調整することを特徴とする定着装置。
【請求項３】
請求項１又は請求項２に記載の定着装置において、前記の第１押圧部材よりもニップ領域の下流側において加圧ベルトを加熱ローラーに押圧させる第３押圧部材を設けたことを特徴とする定着装置。
【請求項４】
記録媒体上に転写されたトナー画像を定着させる定着装置に、請求項１〜請求項３の何れか１項に記載の定着装置を用いたことを特徴とする画像形成装置。
【発明の詳細な説明】
【技術分野】
【０００１】
本発明は、複写機、プリンター、ファクシミリ及びこれらの複合機等の画像形成装置及びこのような画像形成装置において記録媒体上に転写されたトナー画像を定着させる定着装置に関するものである。特に、トナー画像を様々な種類の記録媒体に定着させるにあたり、封筒や厚い用紙等からなる特殊な記録媒体においても、しわ等が発生することがなく、記録媒体に形成されたトナー画像を記録媒体上に効率よく適切に定着できるようにした点に特徴を有するものである。
【背景技術】
【０００２】
従来から、複写機，プリンター，ファクシミリ及びこれらの複合機などの画像形成装置においては、記録媒体に転写されたトナー画像を、定着装置によって記録媒体上に定着させることが行われている。
【０００３】
そして、このような定着装置の１つとして、例えば、特許文献１，２に示されるように、加熱装置により加熱されて回転する加熱ローラーと、この加熱ローラーと接触して回転駆動される無端状の加圧ベルトと、この加圧ベルトの内周側に設けられて加圧ベルトを加熱ローラーに押圧させる押圧部材とを有し、トナー画像が形成された記録媒体を、加熱ローラーに加圧ベルトが押圧されるニップ領域を通過させて、トナー画像を記録媒体上に定着させるようにしたものが用いられている。
【０００４】
ここで、このような定着装置において、封筒のような厚みの異なった部分を有する記録媒体を、加熱ローラーに加圧ベルトが押圧されるニップ領域を通過させてトナー画像を定着させる場合、ニップ領域を通過させる際に記録媒体の表面と裏面とで送り量にずれが生じ、トナー画像を定着させた記録媒体にしわが発生したり、封筒のフラップがずれたりする等の問題があった。
【０００５】
このため、特許文献１に示されるものにおいては、前記の押圧部材として、前記のニップ領域の中央部において加圧ベルトを加熱ローラーに押圧させる軟弾性のソフトパッドと、このソフトパッドよりもニップ領域の下流側において加圧ベルトを加熱ローラーに押圧させる硬質のハードパッドとを設け、封筒のような厚みの異なった部分を有する記録媒体上にトナー画像を定着させる場合に、前記のソフトパッドとハードパッドとを加熱ローラーと反対方向に移動させて、ニップ領域における加熱ローラーと加圧ベルトとの押圧力を低下させた後、ソフトパッドだけを加熱ローラーに向けて移動させて、ソフトパッドだけで加圧ベルトを加熱ローラーに押圧させることが提案されている。
【０００６】
また、特許文献２に示されるものにおいては、前記の押圧部材として、ヘッド部材と、このヘッド部材より弾性を有するパッド部材とを設け、封筒のような厚みの異なった部分を有する記録媒体上にトナー画像を定着させる場合に、前記の押圧部材の位置をずらせて、弾性を有するパッド部材だけで加圧ベルトを加熱ローラーに押圧させることが提案されている。
【０００７】
しかし、上記の特許文献１，２に示されるように、封筒のような厚みの異なった部分を有する記録媒体上にトナー画像を定着させるにあたり、軟質のソフトパッドやパッド部材だけで加圧ベルトを加熱ローラーに押圧させるようにすると、加圧ベルトを加熱ローラーに押圧させる力が弱くなり、上記のような記録媒体上にトナー画像を十分に定着させることが困難になるという問題があった。また、上記のようにして前記の記録媒体にトナー画像を十分に定着させるためには、記録媒体が前記のニップ領域を通過する時間を長くすることが必要になり、画像形成の生産効率が悪くなる等の問題があった。
【先行技術文献】
【特許文献】
【０００８】
【特許文献１】特開２００８−２３３１３３号公報。
【特許文献２】特開２００９−２１６８９２号公報。
【発明の開示】
【発明が解決しようとする課題】
【０００９】
本発明は、無端状の加圧ベルトの内周側に設けられた押圧部材によって加圧ベルトを加熱ローラーに押圧させ、トナー画像が形成された記録媒体をこの加圧ベルトと加熱ローラーとのニップ領域を通過させて、トナー画像を記録媒体上に定着させる定着装置における前記のような問題を解決することを課題とするものである。
【００１０】
すなわち、本発明においては、上記のような定着装置を用いて、封筒のような厚みの異なった部分を有する特殊な記録媒体の上にトナー画像を定着させるにあたり、このような記録媒体にしわ等が発生することがなく、記録媒体に形成されたトナー画像がこの記録媒体上に効率よく適切に定着されるようにすることを課題とするものある。
【課題を解決するための手段】
【００１１】
本発明においては、上記のような課題を解決するため、加熱装置により加熱されて回転する加熱ローラーと、この加熱ローラーと接触して回転駆動される無端状の加圧ベルトと、この加圧ベルトの内周側に設けられて加圧ベルトを加熱ローラーに押圧させる押圧部材とを有し、トナー画像が形成された記録媒体を、加熱ローラーに加圧ベルトが押圧されるニップ領域を通過させて、トナー画像を記録媒体上に定着させる定着装置において、前記の押圧部材として、少なくとも、ニップ領域の中央部において加圧ベルトを加熱ローラーに押圧させる第１押圧部材と、この第１押圧部材よりもニップ領域の上流側において加圧ベルトを加熱ローラーに押圧させる第２押圧部材とを設けると共に、第２押圧部材を前記の加熱ローラーの方向に移動可能に設け、この第２押圧部材を移動させて加圧ベルトを加熱ローラーに押圧させる押圧力を調整する押圧力調整手段を設け、前記の第２押圧部材を第１押圧部材よりも高硬度の材料で構成し、前記の記録媒体が封筒又は厚い用紙の場合に、前記の押圧力調整手段により第２押圧部材を移動させて、第２押圧部材によって加圧ベルトを加熱ローラーに押圧させる押圧力を、前記の第１押圧部材よりも強くするようにした。
【００１２】
そして、この定着装置においては、記録媒体の種類に対応させて、前記の押圧力調整手段により第２押圧部材を移動させ、ニップ領域の上流側において加圧ベルトを加熱ローラーに押圧させる押圧力を調整し、前記のように記録媒体が封筒又は厚い用紙の場合に、前記の押圧力調整手段により第２押圧部材を加熱ローラー側に移動させて、この第２押圧部材によって加圧ベルトを加熱ローラーに押圧させる押圧力を前記の第１押圧部材よりも強くする。
【００１３】
また、第２押圧部材によって加圧ベルトを加熱ローラーに押圧させる押圧力を強くするにあたっては、前記のように第２押圧部材を第１押圧部材よりも高硬度の材料で構成するようにしている。
【００１４】
また、この定着装置においては、上記の第１押圧部材と第２押圧部材の他に、第１押圧部材よりもニップ領域の下流側において加圧ベルトを加熱ローラーに押圧させる第３押圧部材を設けることができる。そして、この第３押圧部材により加圧ベルトを加熱ローラーに強く押圧させると、加圧ベルトと加熱ローラーとのニップ領域の下流側が変形して、記録媒体が加熱ローラーから分離されやすくなる。
【００１５】
また、本発明の画像形成装置においては、記録媒体上に転写されたトナー画像を定着させるにあたり、上記のような定着装置を用いるようにした。
【発明の効果】
【００１６】
本発明の定着装置においては、前記のように加圧ベルトと加熱ローラーとのニップ領域の中央部における第１押圧部材よりもニップ領域の上流側に、第２押圧部材を加熱ローラーの方向に移動可能に設け、前記の押圧力調整手段によりこの第２押圧部材を移動させて加圧ベルトを加熱ローラーに押圧させる押圧力を調整するようにしたため、記録媒体の種類に対応させて、押圧力調整手段により第２押圧部材を移動させ、ニップ領域の上流側において加圧ベルトを加熱ローラーに押圧させる押圧力を調整させることができる。
【００１７】
そして、記録媒体が封筒や厚い用紙等の特殊な記録媒体の場合に、押圧力調整手段により第２押圧部材を加熱ローラー側に移動させて、この第２押圧部材によって加圧ベルトを加熱ローラーに押圧させる押圧力を前記の第１押圧部材よりも強くすると、加圧ベルトと加熱ローラーとのニップ領域の上流側において、前記の記録媒体が強く押圧されるようになり、例えば、記録媒体が封筒の場合には、表面と裏面との間の摩擦力が大きくなって、表面と裏面との間にずれが発生するのが防止され、定着時に封筒にしわが発生したり、封筒のフラップがずれたりするのが防止される。また、前記の記録媒体が加圧ベルトと加熱ローラーとのニップ領域を通過する際に、その後端部にたるみが発生したとしても、このたるみがニップ領域の上流側において一気に潰されて、しわが発生するのが防止される。さらに、前記の記録媒体が、第２押圧部材によって強く押圧されたニップ領域の上流側と、前記の第１押圧部材によって押圧されたニップ領域の中央部とにおいて十分に加熱・加圧されるようになり、従来のように、ニップ領域を通過する記録媒体の速度を遅くしなくても、前記の記録媒体上にトナー画像が十分に定着されるようになり、画像形成の生産効率が悪くなるということもない。
【００１８】
一方、記録媒体が封筒や厚い用紙以外の一般的な記録媒体である場合に、前記の押圧力調整手段により第２押圧部材を加熱ローラーと反対側に移動させて、第２押圧部材によって加圧ベルトを加熱ローラーに押圧させる押圧力を弱くすることにより、加圧ベルトと加熱ローラーとに加わる負荷を軽減することができ、これらを長期にわたって安定して使用できるようになる。
【図面の簡単な説明】
【００１９】
【図１】本発明の一実施形態に係る定着装置を使用する画像形成装置の概略説明図である。
【図２】上記の実施形態に係る定着装置において、封筒や厚い用紙からなる特殊な記録媒体にトナー画像を定着させるにあたり、ニップ領域の上流側に設けられた第２押圧部材を加熱ローラー側に移動させて、ニップ領域の上流側における押圧力を強くした状態を示した概略説明図である。
【図３】上記の実施形態に係る定着装置において、封筒や厚い用紙以外の一般的な用紙からなる記録媒体にトナー画像を定着させるにあたり、ニップ領域の上流側に設けられた第２押圧部材を加熱ローラーと反対側に移動させて、ニップ領域の上流側における押圧力を弱くした状態を示した概略説明図である。
【発明を実施するための最良の形態】
【００２０】
次に、この発明の実施形態に係る定着装置及びこの定着装置を使用する画像形成装置を添付図面に基づいて具体的に説明する。なお、本発明に係る定着装置及び画像形成装置は、下記の実施形態に示したものに限定されず、その要旨を変更しない範囲において適宜変更して実施できるものである。
【００２１】
この実施形態の画像形成装置１においては、図１に示すように、その内部に４つのイメージングカートリッジ１０Ａ〜１０Ｄを装着させている。
【００２２】
ここで、上記の各イメージングカートリッジ１０Ａ〜１０Ｄにおいては、感光体１１と、この感光体１１の表面を帯電させる帯電装置１２と、帯電された感光体１１の表面に画像情報に応じた露光を行って感光体１１の表面に静電潜像を形成する露光装置１３と、感光体１１の表面に形成された静電潜像にトナーを供給してトナー画像を形成する現像装置１４と、感光体１１の表面に形成されたトナー画像を中間転写ベルト２１に転写させた後に残留するトナーを感光体１１の表面から除去するクリーニング装置１５とを設けている。
【００２３】
また、上記の各イメージングカートリッジ１０Ａ〜１０Ｄにおける現像装置１４においては、それぞれ色彩の異なったトナーを収容させ、黒色，黄色，マゼンダ色，シアン色のトナーを収容させている。
【００２４】
そして、この画像形成装置１においては、上記の各イメージングカートリッジ１０Ａ〜１０Ｄにおいて、それぞれ感光体１１の表面を帯電装置１２によって帯電させ、このように帯電された各感光体１１の表面に、それぞれ露光装置１３によって画像情報に応じた露光を行い、各感光体１１の表面にそれぞれ画像情報に応じた静電潜像を形成し、このように各感光体１１の表面に形成された静電潜像に、上記の各現像装置１４からそれぞれの色彩のトナーを供給して、各感光体１１の表面にそれぞれの色彩のトナー画像を形成するようにしている。
【００２５】
次いで、このように各イメージングカートリッジ１０Ａ〜１０Ｄにおける各感光体１１の表面に形成された各色彩のトナー画像を中間転写ベルト２１に順々に転写させて、この中間転写ベルト２１の上にフルカラーのトナー画像を形成すると共に、転写後の各感光体１１の表面に残留するトナーをそれぞれクリーニング装置１５によって各感光体１１の表面から除去するようにしている。
【００２６】
また、この画像形成装置１内に収容された記録媒体Ｓを給紙ローラー２２によって給紙し、この記録媒体Ｓをタイミングローラー２３によって適当なタイミングで上記の中間転写ベルト２１と転写ローラー２４との間に導き、中間転写ベルト２１上に形成された上記のフルカラーのトナー画像をこの記録媒体Ｓに転写させるようにしている。そして、記録媒体Ｓに転写されずに中間転写ベルト２１上に残ったトナーを、第２クリーニング装置２５によって中間転写ベルト２１から除去するようにしている。
【００２７】
また、フルカラーのトナー画像が転写された記録媒体Ｓを定着装置３０に導き、この定着装置３０において、上記のフルカラーのトナー画像をこの記録媒体Ｓに定着させた後、この記録媒体Ｓを排紙ローラー２７により排紙させるようにしている。
【００２８】
そして、この実施形態における定着装置３０においては、図２及び図３に示すように、内部にハロゲンランプ等の加熱装置３１が設けられた加熱ローラー３２と、この加熱ローラー３２と接触して回転駆動される無端状の加圧ベルト３３と、この加圧ベルト３３の内周側に設けられた保持フレーム３４に保持されて、加圧ベルト３３の内周側から加圧ベルト３３を加熱ローラー３２に押圧させる押圧部材３５とが設けられている。
【００２９】
ここで、上記の加熱ローラー３２は、その外径が２０〜５０ｍｍ程度であり、芯金３２ａの外周に弾性層３２ｂと表層３２ｃとが設けられて構成されている。そして、芯金３２ａは、アルミニウム、鉄等の金属製パイプで構成され、その厚みは０．１〜５ｍｍ程度である。また、弾性層３２ｂは、シリコーンゴム、フッ素ゴム等の耐熱性の弾性材料で構成され、その厚みは０．０５〜５ｍｍ程度である。また、表層３２ｃは、離型性に優れたフッ素系樹脂で構成され、その厚みは５〜１００μｍ程度である。
【００３０】
また、上記の加圧ベルト３３は、円筒形にした場合の外径が２０〜１００ｍｍ程度であり、図示していないが、内周側のベース層の外周に表層が設けられた構成になっている。そして、このベース層には、ポリイミド、ポリアミド、ポリイミドアミド等の耐熱性樹脂や、アルミニウム、ステンレス、ニッケル等の金属材料が用いられる。また、前記の表層には、離型性に優れたフッ素系樹脂や導電性を有するものが用いられ、その厚みは５〜１００μｍ程度である。
【００３１】
また、加圧ベルト３３の内周側から加圧ベルト３３を加熱ローラー３２に押圧させる前記の押圧部材３５においては、加圧ベルト３３が加熱ローラー３２に押圧されて接触するニップ領域の中央部において、加圧ベルト３３を加熱ローラー３２に押圧させる第１押圧部材３５ａと、この第１押圧部材３５ａよりもニップ領域の上流側において、加圧ベルト３３を加熱ローラー３２に押圧させる第２押圧部材３５ｂと、第１押圧部材３５ａよりもニップ領域の下流側において、加圧ベルト３３を加熱ローラー３２に押圧させる第３押圧部材３５ｃとが設けられている。
【００３２】
そして、前記の第２押圧部材３５ｂは、加熱ローラー３２の方向に移動可能な状態で前記の保持フレーム３４に保持されており、この第２押圧部材３５ｂを移動させて、加圧ベルト３３を第２押圧部材３５ｂにより加熱ローラー３２に押圧させる押圧力を調整する押圧力調整手段３６として、第２押圧部材３５ｂの加熱ローラー３２と反対側の端部に接触するように偏心カム３６を設け、この偏心カム３６を回転させる回転装置３７を、記録媒体情報出力手段４０から出力される記録媒体Ｓの情報に基づいて制御し、第２押圧部材３５ｂを加熱ローラー３２の方向又は逆方向に移動させるようにしている。
【００３３】
また、前記の第１押圧部材３５ａは、前記の第３押圧部材３５ｃを構成する部材に保持されており、この状態で、第１押圧部材３５ａと第３押圧部材３５ｃとが前記の保持フレーム３４に保持されている。
【００３４】
ここで、前記の第１押圧部材３５ａの場合、加圧ベルト３３を加熱ローラー３２に押圧させる際に、この第１押圧部材３５ａが変形して、加圧ベルト３３と加熱ローラー３２との間に十分なニップ領域が確保されるようにするため、この第１押圧部材３５ａを、例えば、シリコーンゴム、フッ素ゴム等の耐熱性の弾性材料で構成し、アスカーＣ硬度が１５〜３０程度になるようにすることが好ましい。また、この第１押圧部材３５ａを、第３押圧部材３５ｃを構成する部材に簡単に保持させるようにするため、ステンレス、アルミニウム、鉄等の金属板と一体に形成してもよい。
【００３５】
また、前記の第３押圧部材３５ｃは、ニップ領域の下流側において加圧ベルト３３を加熱ローラー３２に押圧させ、この押圧部分において加熱ローラー３２を変形させ、これによりニップ領域を通過する記録媒体Ｓを加熱ローラー３２から分離させる役割を有している。このため、この第３押圧部材３５ｃには、例えば、ポリフェニレンサルファイド、ポリイミド、液晶ポリマー等の耐熱性の硬質樹脂や、アルミニウム、ステンレス、ニッケル等の金属材料や、セラミックス等を用いることが好ましい。
【００３６】
また、前記の第２押圧部材３５ｂは、封筒や厚い用紙からなる特殊な記録媒体Ｓａにトナー画像ｔを定着させる場合に、この特殊な記録媒体Ｓａを加圧ベルト３３と加熱ローラー３２との間で強く押圧させて、この特殊な記録媒体Ｓａの表面と裏面との間にずれが発生するのを防止するため、前記の第３押圧部材３５ｃと同等以上の硬質材料で構成することが好ましく、例えば、ポリフェニレンサルファイド、ポリイミド、液晶ポリマー等の耐熱性の硬質樹脂や、アルミニウム、ステンレス、ニッケル等の金属材料や、セラミックス等を用いるようにする。
【００３７】
また、前記の加圧ベルト３３と各押圧部材３５ａ，３５ｂ，３５ｃとの間に摺動シート（図示せず）を設け、加圧ベルト３３の内面と各押圧部材３５ａ，３５ｂ，３５ｃとの間の摩擦抵抗を低減させて、加圧ベルト３３が加熱ローラー３２の回転に伴って適切に回転されるようにすることができる。ここで、このような摺動シートとしては、耐熱性、耐摩耗性、摺動性に優れたものを用いることが好ましく、例えば、耐熱性を有するガラスクロスにフッ素樹脂をコーティングしたものを用いることができる。さらに、加圧ベルト３３の内面と各押圧部材３５ａ，３５ｂ，３５ｃとの間の摩擦抵抗を低減させるため、この摺動シートの表面や加圧ベルト３３の内面にグリスやオイル等の潤滑剤を塗布することが好ましい。
【００３８】
そして、この実施形態における定着装置３０において、封筒や厚い用紙からなる特殊な記録媒体Ｓａにトナー画像ｔを定着させる場合には、この記録媒体Ｓａの情報を前記の記録媒体情報出力手段４０から回転装置３７に出力して、回転装置３７による偏心カム３６の回転を制御し、図２に示すように、この偏心カム３６の長辺側が前記の第２押圧部材３５ｂと接触するようにして、第２押圧部材３５ｂを加熱ローラー３２の方向に移動させ、加熱ローラー３２に加圧ベルト３３が押圧されるニップ領域上流側において、この第２押圧部材３５ｂにより加圧ベルト３３を加熱ローラー３２に強く押圧させる。
【００３９】
このようにすると、前記のように封筒や厚い用紙からなる特殊な記録媒体Ｓａが、ニップ領域の上流側における加圧ベルト３３と加熱ローラー３２との間で強く挟み込まれた状態でニップ領域に導かれるようになり、定着時に、この特殊な記録媒体Ｓａの表面と裏面との間にずれが発生するのが防止されて、しわが発生したり、封筒のフラップがずれたりするのが防止されると共に、この特殊な記録媒体Ｓａがニップ領域を通過する速度を遅くしなくても、この特殊な記録媒体Ｓａにトナー画像ｔが十分に定着されるようになり、画像形成の生産効率が悪くなるということもない。
【００４０】
また、この特殊な記録媒体Ｓａが加圧ベルト３３と加熱ローラー３２とのニップ領域を通過する際に、その後端部にたるみが発生したとしても、このたるみがニップ領域の上流側において一気に潰されて、しわが発生するのが防止されるようになる。
【００４１】
一方、前記のような特殊な記録媒体Ｓａ以外の通常の記録媒体Ｓｂにトナー画像を定着させる場合には、この記録媒体Ｓｂの情報を前記の記録媒体情報出力手段４０から回転装置３７に出力して、回転装置３７による偏心カム３６の回転を制御し、図３に示すように、この偏心カム３６の短辺側が前記の第２押圧部材３５ｂと接触するようにして、第２押圧部材３５ｂを加熱ローラー３２と反対の方向に移動させ、ニップ領域上流側における加圧ベルト３３と加熱ローラー３２との間の押圧力を低減させる。
【００４２】
このようにすると、通常の記録媒体Ｓｂにトナー画像ｔを定着させる場合に、加圧ベルト３３と加熱ローラー３２とに加わる負荷を軽減することができ、これらを長期にわたって安定して使用できるようになる。
【符号の説明】
【００４３】
１  画像形成装置
１０Ａ〜１０Ｄ  イメージングカートリッジ
１１  感光体
１２  帯電装置
１３  露光装置
１４  現像装置
１５  クリーニング装置
２１  中間転写ベルト
２２  給紙ローラー
２３  タイミングローラー
２４  転写ローラー
２５  第２クリーニング装置
２７  排紙ローラー
３０  定着装置
３１  加熱装置
３２  加熱ローラー、  ３２ａ  芯金、  ３２ｂ  弾性層、  ３２ｃ  表層
３３  加圧ベルト
３４  保持フレーム
３５  押圧部材、  ３５ａ  第１押圧部材、  ３５ｂ  第２押圧部材、  ３５ｃ  第３押圧部材
３６  偏心カム（押圧力調整手段）
３７  回転装置
４０  記録媒体情報出力手段
Ｓ  記録媒体、  Ｓａ  特殊な記録媒体、  Ｓｂ  通常の記録媒体
ｔ  トナー画像
【図１】
0005895607.tif 000002
【図２】
0005895607.tif 000003
【図３】
0005895607.tif 000004